(57)【要約】 【課題】  複数の媒体を装填した後媒体発行を開始した運用時にジャムが発生しても、このジャムを復旧させることにより媒体発行を継続させる。【解決手段】  開示される媒体発行装置１０を用いた媒体発行方法は、複数のホッパ１、２にそれぞれロール紙のような複数の媒体Ａ、媒体Ｂを装填した後、媒体Ａに対して媒体発行を開始してから、媒体Ａにカッタ部１１によりカットされる前にジャムが発生した場合は、媒体Ａに対応したホッパ１と、このホッパ１に対応したローラ３Ａと、搬送路５と、共通搬送路７とを駆動して媒体Ａをホッパ１まで巻戻させた後、他のホッパ２と、このホッパ２に対応したローラ４Ａと、このローラ４Ａから送出された媒体Ｂに対応した搬送路６と、共通搬送路７とを駆動して媒体Ｂを対応したホッパ２から印字部９及びカッタ部１１まで送出して、媒体Ｂに対して媒体発行を開始する。【選択図】図２
2006256858.tif 000002
【特許請求の範囲】
【請求項１】
媒体が装填される複数のホッパを備え、前記各ホッパにそれぞれ媒体を装填した後、媒体発行を開始する媒体発行装置であって、
前記複数のホッパに密接配置され、前記媒体を排出方向へ送出し又は吸入方向へ巻戻しするローラと、
前記複数のホッパに密接配置され、前記媒体の先端を前記排出方向へ剥離するセパレータと、
前記複数のホッパのそれぞれに対応して設けられ、各ホッパに装填された前記媒体を搬送する複数の搬送路と、
前記複数の搬送路に連続するように設けられ、前記媒体を搬送する共通搬送路と、
前記共通搬送路に沿って設けられ、該共通搬送路を搬送してきた前記媒体に印字する印字部と、
前記共通搬送路に沿って設けられ、該共通搬送路を搬送してきた前記媒体を先端部分から所定の長さでカットするカッタ部と、
前記カットされた前記媒体の片部を取り出す取り出し部と、
前記ホッパのいずれかに装填された媒体に対して媒体発行を開始してから、該媒体にジャムが発生した場合は該媒体に対する媒体発行を停止させ、他のホッパに装填された媒体に対して媒体発行を開始するように制御する制御部とを備えることを特徴とする媒体発行装置。
【請求項２】
前記制御部は、前記媒体発行を開始した前記媒体が前記カッタ部によりカットされる前に前記ジャムが発生した場合に、該媒体に対して媒体発行を停止させるように制御することを特徴とする請求項１記載の媒体発行装置。
【請求項３】
前記制御部は、前記ホッパのいずれかに装填された媒体に対して媒体発行を開始してから、該媒体に前記カッタ部によりカットされる前にジャムが発生した場合は、前記ホッパと、前記ローラと、前記媒体に対応した前記搬送路と、前記共通搬送路とを駆動して前記媒体を対応した前記ホッパまで巻戻させた後、他のホッパと、該ホッパに対応した前記ローラと、該ローラから送出された他の媒体に対応した前記搬送路と、前記共通搬送路とを駆動して前記他の媒体を対応した前記ホッパから前記印字部及び前記カッタ部まで送出して、前記他の媒体に対して媒体発行を開始するように制御することを特徴とする請求項１記載の媒体発行装置。
【請求項４】
前記カッタ部以降の前記共通搬送路に設けられ、前記いずれかの媒体のカット済みの片部を回収搬送する回収搬送路と、
前記回収搬送路に設けられ、該回収搬送路から前記片部を回収する回収部とを備えることを特徴とする請求項１記載の媒体発行装置。
【請求項５】
媒体が装填される複数のホッパを備える媒体発行装置の前記ホッパに複数の媒体を装填した後媒体発行を開始する媒体発行方法であって、
複数のホッパにそれぞれ媒体が装填されている状態で、いずれかのホッパから対応したセパレータによって媒体の先端を排出方向へ剥離し、該媒体を対応した搬送路及び共通搬送路を介して印字部に搬送して、媒体発行を開始する第１の段階と、
前記媒体にカッタ部によりカットされる前にジャムが発生したか否かを判断する第２の段階と、
前記ジャムが発生した場合は、他のホッパに装填した他の媒体が待機状態にあるか否かを判断する第３の段階と、
前記他の媒体が待機状態にある場合は、前記ホッパと、対応したローラと、前記搬送路と、前記共通搬送路とを駆動して、前記媒体を吸入方向に搬送させて、該媒体の先端が前記ホッパ内までくるように巻戻す第４の段階と、
前記他のホッパと、対応したローラと、対応した搬送路と、前記共通搬送路とを駆動して、前記他の媒体を排出方向に搬送させて、該媒体の先端を前記印字部及び前記カッタ部まで通過させるように繰り出す第５の段階と、
前記他の媒体を先端部分から前記カッタ部によって所定の長さでカットし、カットされた片部を取り出し口から排出する第６の段階と、
前記他のホッパから前記他の媒体を繰り出して媒体発行を行う第７の段階とを備えることを特徴とする媒体発行方法。
【請求項６】
前記第６の段階に代えて、前記他の媒体を先端部分から前記カッタ部によって所定の長さでカットし、カットされた片部を回収搬送路へ搬送して、該回収搬送路から前記片部を回収部に回収する第８の段階を備えることを特徴とする請求項５記載の媒体発行方法。
【発明の詳細な説明】
【技術分野】
【０００１】
この発明は、媒体発行装置及び媒体発行方法に係り、詳しくは、複数のホッパにそれぞれロール紙のような媒体を装填した後媒体発行を開始した運用時に用紙ジャム（以下、単にジャムと称する）が発生しても、媒体発行の停止を避けるようにした媒体発行装置及び媒体発行方法に関する。
【背景技術】
【０００２】
例えば各種金融機関におけるＡＴＭ（Automatic Teller Machine：現金自動預金支払機）、ＣＤ（Cash Dispenser：現金自動支払機）等では取引結果としてレシートを発行し、あるいは電車やバスのような交通機関における自動発券機では目的地までの運賃に相当した切符を発行する。このようなレシート、切符等を発行するには、ＡＴＭ、発券機等の媒体発行装置に予めロール紙のような媒体を装填して、利用者との取引に応じた金額、文字をロール紙に順次に印刷した後、所定のサイズに切断して利用者に渡すことが行われる。
【０００３】
上述のような媒体発行装置では、発行効率を上げるためにそれぞれにロール紙が装填される複数のホッパ（給紙部）を備えて、一つのホッパのロール紙が空になったときは、自動切替えにより他のホッパのロール紙を自動的に繰り出すように構成されているのが一般的である。
【０００４】
しかしながら、上述のような媒体発行装置では、他のホッパのロール紙が自動的に繰り出されるときには、ロール紙をホッパから剥離してその先端を搬送路へ繰り出す部分や、ロール紙の先端部分を所定長でカットする部分等で、ロール紙が詰まったりするジャムが発生して媒体発行が停止してしまうことがある。このような観点から、ロール紙のような媒体の自動切替え時におけるジャムの発生を抑制するようにした媒体発行装置及び媒体自動切替え方法が、例えば特許文献１に開示されている。
【０００５】
同文献に記載されている技術は、媒体発行装置の第１のホッパに媒体Ａ（第１のロール紙）が装填され、一方第２のホッパに媒体Ｂ（第２のロール紙）が装填されていない状態で、保守員（媒体発行装置が例えばＡＴＭでは銀行員）が空の第２のホッパに媒体Ｂを装填（補充）したときに、媒体Ｂの繰り出しが失敗した場合や、媒体Ｂの印字部とカッタ部の通過が失敗した場合等にジャムが発生すると、媒体Ｂの先端が第２のホッパ内に戻るまで巻戻すようにしている。そして、保守員が第２のホッパから媒体Ｂを取り出し、媒体Ｂの先端を切る等して整えてから再び第２のホッパに装填することで、媒体Ｂの補充のやり直しを行うようにしている。すなわち、特許文献１の技術によれば、媒体の自動切替え時に保守員が空の第２のホッパに媒体Ｂを装填したときに、媒体Ｂの繰り出しが失敗した場合等にジャムが発生しても、媒体発行装置の近くに待機している保守員が媒体Ｂの補充のやり直しを行うことで、媒体の自動切替え時におけるジャムの発生を抑制することができるようになっている。
【０００６】
また、複数の媒体を備える媒体発行装置としての用紙補充装置において、一つの媒体の残量が少なくなったときには、これを検出して他の媒体に切替えるように構成したものが、例えば特許文献２に開示されている。同様にして、複数の媒体を備える媒体発行装置としての発券装置において、一つの媒体の使用量が限界使用量になったときには、これを検出して他の媒体に切替えるように構成したものが、例えば特許文献３に開示されている。
【特許文献１】特開２００１−１０５６７６号公報
【特許文献２】特開平０３−０８３７５７号公報
【特許文献３】特公平０６−０３２１０７号公報
【発明の開示】
【発明が解決しようとする課題】
【０００７】
ところで、媒体が装填される複数のホッパを備える従来の媒体発行装置では、複数の媒体を装填した後媒体発行を開始した運用時にジャムが発生した場合には、このジャムを復旧することができないので媒体発行が停止してしまう、という問題がある。
すなわち、特許文献１記載の媒体発行装置及び媒体自動切替え方法は、媒体の自動切替え時に発生したジャムを抑制するためになされているので、保守員が空の第２のホッパに媒体Ｂを補充するために装填したときにジャムが発生しても、元々媒体発行装置の近くに待機している保守員が媒体Ｂの補充のやり直しを行うことで、媒体の自動切替え時におけるジャムの発生を抑制することができるようになる。しかしながら、媒体発行装置の両ホッパにそれぞれ媒体の装填が終了して、媒体発行を開始した運用時には、媒体の補充が終了していることにより保守員は媒体発行装置の近くに待機していないので、ジャムが発生してもこれを復旧させることができなくなる。この結果、媒体発行が停止してしまうことになり、ＡＴＭの例であると銀行員がくるまで装置の運用が不可能になるので、利用者に多大な迷惑をかけることになる。
【０００８】
また、特許文献２記載の用紙補充装置では、複数の媒体のうち一つの媒体の残量が少なくなったときには、これを検出して他の媒体に切替えるように構成しているが、この発明で課題にしている両媒体の装填後に、媒体発行を開始した運用時に発生するジャムに対する解決策については何ら考慮していない。また、特許文献３記載の発券装置についても同様であり、一つの媒体の使用量が限界使用量になったときには、これを検出して他の媒体に切替えるように構成しているが、両媒体の装填後に媒体発行を開始した運用時に発生するジャムに対する解決策については何ら考慮していない。
【０００９】
この発明は、上述の事情に鑑みてなされたもので、複数の媒体を装填した後媒体発行を開始した運用時にジャムが発生しても、このジャムを復旧させることにより媒体発行を継続させることができるようにした媒体発行装置及び媒体発行方法を提供することを目的としている。
【課題を解決するための手段】
【００１０】
上記課題を解決するために、請求項１記載の発明は、媒体が装填される複数のホッパを備え、上記各ホッパにそれぞれ媒体を装填した後、媒体発行を開始する媒体発行装置に係り、上記複数のホッパに密接配置され、上記媒体を排出方向へ送出し又は吸入方向へ巻戻しするローラと、上記複数のホッパに密接配置され、上記媒体の先端を上記排出方向へ剥離するセパレータと、上記複数のホッパのそれぞれに対応して設けられ、各ホッパに装填された上記媒体を搬送する複数の搬送路と、上記複数の搬送路に連続するように設けられ、上記媒体を搬送する共通搬送路と、上記共通搬送路に沿って設けられ、該共通搬送路を搬送してきた上記媒体に印字する印字部と、上記共通搬送路に沿って設けられ、該共通搬送路を搬送してきた上記媒体を先端部分から所定の長さでカットするカッタ部と、上記カットされた上記媒体の片部を取り出す取り出し部と、上記ホッパのいずれかに装填された媒体に対して媒体発行を開始してから、該媒体にジャムが発生した場合は該媒体に対する媒体発行を停止し、他のホッパに装填された媒体に対して媒体発行を開始するように制御する制御部とを備えることを特徴としている。
【００１１】
また、請求項２記載の発明は、請求項１記載の媒体発行装置に係り、上記制御部は、上記媒体発行を開始した上記媒体が上記カッタ部によりカットされる前に上記ジャムが発生した場合に、該媒体に対して媒体発行を停止させるように制御することを特徴としている。
【００１２】
また、請求項３記載の発明は、請求項１記載の媒体発行装置に係り、上記制御部は、上記ホッパのいずれかに装填された媒体に対して媒体発行を開始してから、該媒体に上記カッタ部によりカットされる前にジャムが発生した場合は、上記ホッパと、上記ローラと、上記媒体に対応した上記搬送路と、上記共通搬送路とを駆動して上記媒体を対応した上記ホッパまで巻戻させた後、他のホッパと、該ホッパに対応した上記ローラと、該ローラから送出された他の媒体に対応した上記搬送路と、上記共通搬送路とを駆動して上記他の媒体を対応した上記ホッパから上記印字部及び上記カッタ部まで送出して、上記他の媒体に対して媒体発行を開始するように制御することを特徴としている。
【００１３】
また、請求項４記載の発明は、請求項１記載の媒体発行装置に係り、上記カッタ部以降の上記共通搬送路に設けられ、上記いずれかの媒体のカット済みの片部を回収搬送する回収搬送路と、上記回収搬送路に設けられ、該回収搬送路から上記片部を回収する回収部とを備えることを特徴としている。
【００１４】
また、請求項５記載の発明は、媒体が装填される複数のホッパを備える媒体発行装置の上記ホッパに複数の媒体を装填した後媒体発行を開始する媒体発行方法に係り、複数のホッパにそれぞれ媒体が装填されている状態で、いずれかのホッパから対応したセパレータによって媒体の先端を排出方向へ剥離し、該媒体を対応した搬送路及び共通搬送路を介して印字部に搬送して、媒体発行を開始する第１の段階と、上記媒体にカッタ部によりカットされる前にジャムが発生したか否かを判断する第２の段階と、上記ジャムが発生した場合は、他のホッパに装填した他の媒体が待機状態にあるか否かを判断する第３の段階と、上記他の媒体が待機状態にある場合は、上記ホッパと、対応したローラと、上記搬送路と、上記共通搬送路とを駆動して、上記媒体を吸入方向に搬送させて、該媒体の先端が上記ホッパ内までくるように巻戻す第４の段階と、上記他のホッパと、対応したローラと、対応した搬送路と、上記共通搬送路とを駆動して、上記他の媒体を排出方向に搬送させて、該媒体の先端を上記印字部及び上記カッタ部まで通過させるように繰り出す第５の段階と、上記他の媒体を先端部分から上記カッタ部によって所定の長さでカットし、カットされた片部を取り出し口から排出する第６の段階と、上記他のホッパから上記他の媒体を繰り出して媒体発行を行う第７の段階とを備えることを特徴としている。
【００１５】
また、請求項６記載の発明は、請求項５記載の媒体発行方法に係り、上記第６の段階に代えて、上記他の媒体を先端部分から上記カッタ部によって所定の長さでカットし、カットされた片部を回収搬送路へ搬送して、該回収搬送路から上記片部を回収部に回収する第８の段階を備えることを特徴としている。
【発明の効果】
【００１６】
この発明の媒体発行装置及び媒体発行方法によれば、複数のホッパにロール紙のような複数の媒体を装填した後、いずれかの媒体に対して媒体発行を開始してから、この媒体にカッタ部によりカットされる前にジャムが発生した場合は、この媒体を対応したホッパまで巻戻させた後、この媒体以外の他の媒体を対応したホッパから印字部及びカッタ部まで送出して、他の媒体に対して媒体発行を開始する。この結果、上述のようなジャムが発生しても、媒体発行が停止することなく媒体を代えて続けられる。したがって、複数の媒体を装填した後媒体発行を開始した運用時にジャムが発生しても、このジャムを復旧させることにより媒体発行を継続させることができる。
【発明を実施するための最良の形態】
【００１７】
複数のホッパにロール紙のような複数の媒体を装填した後、いずれかの媒体に対して媒体発行を開始してから、この媒体にカッタ部によりカットされる前にジャムが発生した場合は、その媒体に対応したホッパと、このホッパに対応したローラと、その媒体に対応した搬送路と、共通搬送路とを駆動してその媒体を対応したホッパまで巻戻させた後、他のホッパと、このホッパに対応したローラと、このローラから送出された他の媒体に対応した搬送路と、共通搬送路とを駆動して他の媒体を対応したホッパから印字部及びカッタ部まで送出して、他の媒体に対して媒体発行を開始する。
【実施例１】
【００１８】
図１はこの発明の実施例１である媒体発行装置の構成を示す概念図、図２は同媒体発行装置を用いて媒体発行を行う方法を示すフローチャートである。
この例の媒体発行装置１０は、図１に示すように、それぞれロール紙（媒体）が装填される第１のホッパ１及び第２のホッパ２と、第１及び第２のホッパ１、２に密接配置され、装填されたロール紙を排出方向へ送出し又は吸入方向へ巻戻しする第１のローラ３Ａ及び第２のローラ４Ａと、第１及び第２のホッパ１、２に密接配置され、装填されたロール紙の先端を排出方向へ剥離する第１のセパレータ３Ｂ及び第２のセパレータ４Ｂと、第１及び第２のホッパ１、２に対応して設けられ、各ホッパ１、２に装填されたロール紙を搬送する第１の搬送路５及び第２の搬送路６と、第１及び第２の搬送路５、６が途中で一体化され、これに連続するように設けられたロール紙を搬送する共通搬送路７とを備えている。
【００１９】
また、媒体発行装置１０は、共通搬送路７に沿って順次に設けられた第１のガイドローラ８Ａ、８Ｂと、共通搬送路７を搬送してきたロール紙に印字する印字部９と、共通搬送路７を搬送してきたロール紙を先端部分から所定の長さでカットするカッタ部１１と、第２のガイドローラ１２Ａ、１２Ｂと、カットされたロール紙の紙片（片部）を取り出す取り出し部１３とを備えている。ここで、第１及び第２のホッパ１、２、第１及び第２のローラ３Ａ、４Ａ、第１及び第２のセパレータ３Ｂ、４Ｂ、第１及び第２の搬送路５、６、共通搬送路７、印字部９、カッタ部１１等は、後述する制御部の制御の基に図示しないモータにより駆動される。また、媒体の有無は図示しないセンサにより検出される。
【００２０】
さらに、媒体発行装置１０は、上述したような各構成部の動作を制御する制御部１４を備えている。ここで、制御部１４は、ホッパ１、２の両方にロール紙を装填した後にホッパ１、２のいずれかに装填されたロール紙に対して媒体発行を開始し、このロール紙にカッタ部１１によりカットされる前にジャムが発生した場合は、ホッパ１又は２と、ローラ３Ａ又は４Ａと、そのロール紙に対応した搬送路５又は６と、共通搬送路７とを駆動してそのロール紙を対応したホッパ１又は２まで巻戻させた後、他のホッパ２又は１と、ローラ４Ａ又は３Ａと、搬送路６又は５と、共通搬送路７とを駆動して他のロール紙を対応したホッパ２又は１から印字部９及びカッタ部１１まで送出して、他のロール紙に対して媒体発行を開始するように制御する。
【００２１】
第１及び第２のホッパ１、２はそれぞれ装填されたロール紙を回転させ、別個に各ロール紙の先端を第１及び第２のセパレータ３Ｂ、４Ｂによって剥離して第１及び第２の搬送路５、６に搬送する。各搬送路５、６に搬送されたロール紙は、共通搬送路７に搬送される。共通搬送路７に搬送されたロール紙は、印字部９によって印字された後、カッタ部１１によってカットされ、取り出し部１３に搬送されて取り出される。
【００２２】
次に、図２のフローチャートを参照して、この例の媒体発行装置１０を用いて媒体発行を行う方法を説明する。
前提として、第１及び第２のホッパ１、２にそれぞれ媒体Ａ（第１のロール紙）及び媒体Ｂ（第２のロール紙）の装填が保守員により終了して、例えば第１のホッパ１に装填した媒体Ａの媒体発行を開始した運用時に、媒体Ａにジャムが発生した場合の復旧動作について説明する。なお、このとき第２のホッパ２に装填した媒体Ｂは待機状態にあるものとする。また、運用時は保守員は媒体発行装置の近くには不在となる。
【００２３】
まず、制御部１４の制御の基に、第１のホッパ１から第１のセパレータ３Ａによって媒体Ａの先端を排出方向へ剥離し、媒体Ａを第１の搬送路５及び共通搬送路７を介して印字部９に搬送して、媒体発行を開始する（ステップＳ１）。以下の動作は同様にして、制御部１４の制御の基に行われる。次に、媒体Ａをカッタ部１１によってカットする前に、ジャムが発生したか否かが判断される（ステップＳ２）。ジャムが発生していない（ノー）場合は、何ら問題がないので媒体Ａに対する媒体発行が継続される。
【００２４】
（ステップＳ２）においてジャムが発生している（イエス）場合は、第２のホッパ２に装填した媒体Ｂが待機状態にあるか否かが判断される（ステップＳ３）。媒体Ｂが待機状態にない（ノー）場合は、媒体Ａに代わる媒体がないので媒体発行は不可となって運用（媒体発行）が停止される。
【００２５】
この例の媒体発行方法では、前述したような前提により媒体Ｂが待機状態にある（イエス）ので、次に、第１のホッパ１と、第１のローラ３Ａと、第１の搬送路５と、共通搬送路７とを駆動して、媒体Ａを吸入方向に搬送させて、媒体Ａの先端が第１のホッパ１内までくるように巻戻す（ステップＳ４）。
【００２６】
次に、第２のホッパ２と、第２のローラ４Ａと、第２の搬送路６と、共通搬送路７とを駆動して、媒体Ｂを排出方向に搬送させて、媒体Ｂの先端を印字部９及びカッタ部１１まで通過させるように繰り出す（ステップＳ５）。次に、媒体Ｂを先端部分からカッタ部１１によって所定の長さでカットし、カットされた片部を取り出し口１３から排出する（ステップＳ６）。そして、第２のホッパ２から媒体Ｂを繰り出して媒体発行を行う（ステップＳ７）。
【００２７】
以上のような媒体発行方法によれば、両ホッパ１、２にそれぞれ媒体Ａ、媒体Ｂを装填した後、例えば第１のホッパ１に装填された媒体Ａの媒体発行を開始してから、媒体Ａにカッタ部１１によりカットされる前にジャムが発生した場合には、媒体Ａを第１のホッパ１まで巻戻させた後、待機状態にある他の媒体である媒体Ｂを第２のホッパ２から送出して媒体発行を開始するようにしたので、上述のようなジャムが発生しても媒体発行が停止することなく媒体Ａから媒体Ｂへ代えて続けられるため、ジャムを復旧させることができる。しかも、このような復旧動作は、保守員が媒体装置の近くに待機していなくとも自動的に行われるので、利用者に多大な迷惑をかけることはなくなる。
【００２８】
このように、この例の媒体発行装置及び媒体発行方法によれば、複数のホッパ１、２にそれぞれロール紙のような複数の媒体Ａ、媒体Ｂを装填した後、媒体Ａに対して媒体発行を開始してから、媒体Ａにカッタ部１１によりカットされる前にジャムが発生した場合は、媒体Ａに対応したホッパ１と、このホッパ１に対応したローラ３Ａと、搬送路５と、共通搬送路７とを駆動して媒体Ａをホッパ１まで巻戻させた後、他のホッパ２と、このホッパ２に対応したローラ４Ａと、このローラ４Ａから送出された媒体Ｂに対応した搬送路６と、共通搬送路７とを駆動して媒体Ｂを対応したホッパ２から印字部９及びカッタ部１１まで送出して、媒体Ｂに対して媒体発行を開始するようにしたので、媒体発行を停止することがなくなる。
したがって、複数の媒体を装填した後媒体発行を開始した運用時にジャムが発生しても、このジャムを復旧させることにより媒体発行を継続させることができる。
【実施例２】
【００２９】
図３はこの発明の実施例２である媒体発行装置の構成を示す概念図、図４は同媒体発行装置を用いて媒体発行を行う方法を示すフローチャートである。この例の媒体発行装置及び媒体発行方法の構成が、上述の実施例１のそれと大きく異なるところは、実施例１の媒体発行装置のカッタ部以降の共通搬送路に、カット済みの媒体の片部を回収搬送する回収搬送路と、回収搬送路から片部を回収する回収部とを設けて、カット済みの媒体の片部を回収するようにした点である。
この例の媒体発行装置２０は、図３に示すように、カッタ部１１以降の共通搬送路７に設けられ、共通搬送路７を搬送されてきた媒体Ａ又は媒体Ｂのカット済みの片部を回収する回収搬送路１５と、回収搬送路１５に設けられ、回収搬送路１５から片部を回収する回収ボックス（回収部）１６とを備えている。
これ以外は、上述した実施例２と略同じである。それゆえ、図３において、図１の構成部分と対応する各部には、同一の番号を付してその説明を省略する。
【００３０】
回収搬送路１５は共通搬送路７と制御部１４の制御の基に図示しないゲートで切替られて、回収ボックス１６へカット済みの媒体Ａ又は媒体Ｂの片部を搬送する。このカット済みの媒体としては、第１及び第２のホッパ１、２への装填時にカットされる媒体や、カッタ部１１によってカットされ共通搬送路７から搬送されて取り出し口１３から取り出されて放置される媒体等がある。
【００３１】
次に、図４のフローチャートを参照して、この例の媒体発行装置２０を用いて媒体発行を行う方法を説明する。なお、実施例１と同様な前提で行うものとする。
【００３２】
まず、制御部１４の制御の基に、第１のホッパ１から第１のセパレータ３Ａによって媒体Ａの先端を排出方向へ剥離し、媒体Ａを第１の搬送路５及び共通搬送路７を介して印字部９に搬送して、媒体発行を開始する（ステップＳ１１）。以下の動作は同様にして、制御部１４の制御の基に行われる。次に、媒体Ａをカッタ部１１によってカットする前に、ジャムが発生したか否かが判断される（ステップＳ１２）。ジャムが発生していない（ノー）場合は、何ら問題がないので媒体Ａに対する媒体発行が継続される。
【００３３】
（ステップＳ１２）においてジャムが発生している（イエス）場合は、第２のホッパ２に装填した媒体Ｂが待機状態にあるか否かが判断される（ステップＳ１３）。媒体Ｂが待機状態にない（ノー）場合は、媒体Ａに代わる媒体がないので媒体発行は不可となって運用（媒体発行）が停止される。
【００３４】
この例の媒体発行方法では、前述したような前提により媒体Ｂが待機状態にある（イエス）ので、次に、第１のホッパ１と、第１のローラ３Ａと、第１の搬送路５と、共通搬送路７とを駆動して、媒体Ａを吸入方向に搬送させて、媒体Ａの先端が第１のホッパ１内までくるように巻戻す（ステップＳ１４）。
【００３５】
次に、第２のホッパ２と、第２のローラ４Ａと、第２の搬送路６と、共通搬送路７とを駆動して、媒体Ｂを排出方向に搬送させて、媒体Ｂの先端を印字部９及びカッタ部１１まで通過させるように繰り出す（ステップＳ１５）。次に、媒体Ｂを先端部分からカッタ部１１によって所定の長さでカットし、カットされた片部を回収搬送路１５へ搬送して、回収搬送路１５から片部を回収ボックス１６に回収する（ステップＳ１６）。そして、第２のホッパ２から媒体Ｂを繰り出して媒体発行を行う（ステップＳ１７）。
【００３６】
以上のような媒体発行方法によれば、両ホッパ１、２にそれぞれ媒体Ａ、媒体Ｂを装填した後、例えば第１のホッパ１に装填された媒体Ａの媒体発行を開始してから、媒体Ａにカッタ部１１によりカットされる前にジャムが発生した場合には、媒体Ａを第１のホッパ１まで巻戻させた後、待機状態にある他の媒体である媒体Ｂを第２のホッパ２から送出して媒体発行を開始するようにしたので、上述のようなジャムが発生しても媒体発行が停止することなく媒体Ａから媒体Ｂへ代えて続けられるため、ジャムを復旧させることができ、また、カッタ部１１によりカット済みの媒体の片部は回収搬送路１５を介して回収ボックス１６に回収されるので、この片部の後処理（廃棄処分等）が楽になる。
【００３７】
このように、この例の構成によっても、実施例１と略同様な効果を得ることができ、加えてカット済みの媒体の片部を回収させるようにしたので、媒体の片部の後処理が楽になる。
【００３８】
以上、この発明の実施例を図面により詳述してきたが、具体的な構成はこの実施例に限られるものではなく、この発明の要旨を逸脱しない範囲の設計の変更等があってもこの発明に含まれる。例えば、実施例では第１のホッパに装填した媒体の媒体発行を行う例で説明したが、これに限ることなく第２のホッパに装填した媒体の媒体発行を行う場合についても同様に適用することができる。また、実施例では第１及び第２の２つのホッパを備える媒体発行装置に適用した例で説明したが、これに限ることなく３つ以上のホッパを備える場合でも同様に適用することができる。また、印字部とカッタ部との位置関係は逆に配置することもできる。
【図面の簡単な説明】
【００３９】
【図１】この発明の実施例１である媒体発行装置の構成を示す概念図である。
【図２】同媒体発行装置を用いて媒体発行を行う方法を示すフローチャートである。
【図３】この発明の実施例２である媒体発行装置の構成を示す概念図である。
【図４】同媒体発行装置を用いて媒体発行を行う方法を示すフローチャートである。
【符号の説明】
【００４０】
１、２    ホッパ
３Ａ、４Ａ    ローラ
３Ｂ、４Ｂ    セパレータ
５、６    搬送路
７    共通搬送路
８Ａ、８Ｂ、１２Ａ、１２Ｂ    ガイドローラ
９    印字部
１０、２０    媒体発行装置
１１    カッタ部
１３    取り出し部
１４    制御部
１５    回収搬送路
１６    回収ボックス（回収部）
【図１】
2006256858.tif 000003
【図２】
2006256858.tif 000004
【図３】
2006256858.tif 000005
【図４】
2006256858.tif 000006